(57)【特許請求の範囲】
【請求項１】
カメラ付きドアホンと、そのカメラ付きドアホンから伝送される映像を表示するモニタ付きインターホンと、伝送線で接続された前記モニタ付きインターホンと略同様の構成を有する他のモニタ付きインターホンとを備えるインターホン装置において、前記モニタ付きインターホンおよび他のモニタ付きインターホンの両方が、通話する場合に操作される通話釦と、前記モニタ付きインターホンと他のモニタ付きインターホン同士の通話（内線通話）を行う場合に操作される内線釦と、撮像手段と、その撮像手段が撮像した映像を内線釦が押下された場合にマイクによって入力された通話音声信号と多重化して伝送線を介して他のモニタ付きインターホンに伝送する一方で、他のモニタ付きインターホンで内線釦が押下された場合に当該他のモニタ付きインターホンから多重化されて伝送されてくる伝送信号を、映像信号と通話音声信号に分離し、映像信号をモニタに、通話音声信号をスピーカにそれぞれ出力する多重化分離化処理手段とをそれぞれ備えており、
前記モニタ付きインターホンの内線釦が押下されて、前記モニタ付きインターホンで撮像した映像およびマイクに入力された通話音声がそれぞれ他のモニタ付きインターホンのモニタおよびスピーカに出力されている状態で、他のモニタ付きインターホンの通話釦が押下されると、他のモニタ付きインターホンで撮像した映像およびマイクに入力された通話音声がそれぞれ前記モニタ付きインターホンのモニタおよびスピーカに出力され、前記モニタ付きインターホンおよび他のモニタ付きインターホンのあいだでの、映像を伴った双方向通話が可能となることを特徴とするインターホン装置。
【請求項２】
前記モニタ付きインターホンが、留守モードに設定する場合に操作される留守釦と、公衆回線インターフェースとを備えられており、
この前記モニタ付きインターホンと前記他のモニタ付きインターホンと前記カメラ付きドアホンとが接続してなるインターホン装置Ａと、インターホン装置Ａと同様に構成されるインターホン装置Ｂと備え、インターホン装置Ａ、Ｂ同士を双方の公衆回線インターフェース同士を接続するよう公衆回線を介して互いに接続してなるインターホン装置であって、
インターホン装置Ａでは、留守釦を操作されて留守モードに設定された場合に、カメラ付きドアホンからの呼び出しがあれば、前記モニタ付きインターホンは、公衆回線インターフェースを介してインターホン装置Ｂの前記モニタ付きインターホンと接続し、インターホン装置Ｂの前記モニタ付きインターホンと前記他のモニタ付きインターホンとに、インターホン装置Ａから伝送されたドアホン映像及び通話音声を出力するものであり、
この状態で、インターホン装置Ｂの前記モニタ付きインターホンと前記他のモニタ付きインターホンとのどちらかの通話釦が押下されることにより、その通話釦が押下された、インターホン装置Ｂの前記モニタ付きインターホンと前記他のモニタ付きインターホンとのどちらかと、インターホン装置Ａのカメラ付きドアホンとの通話が成立することを特徴とする請求項１記載のインターホン装置。
【発明の詳細な説明】
【０００１】
【発明の属する技術分野】
本発明は、住戸外に取り付けられるカメラ付きドアホンと住戸内に取り付けられるモニタ付きインターホンとを備えるインターホン装置に関するもので、特に、モニタ付きインターホン間で双方向の映像通信及び音声通信を行なうインターホン装置に関するものである。
【０００２】
【従来の技術】
従来、住戸外に取り付けられるカメラ付きドアホンと、住戸内に取り付けられた複数のモニタ付きインターホンとを備えるインターホン装置では、モニタ付きインターホンのモニタに表示される映像は、カメラ付きドアホンから伝送された映像のみが表示されるように構成されており、モニタ付きインターホン間の通信では、音声による通信（内線通話）のみしか提供されておらず、映像を伴った通話が可能なように構成されていなかった。また、インターホン装置は、本来、来客通知が大きな目的であるが、従来のインターホン装置では、在宅時の来客に応対するようには構成されていなかった。
【０００３】
【発明が解決しようとする課題】
以上に述べたように、従来、テレビ付きドアホンと、モニタ付きインターホンとを備えるインターホン装置で、モニタが使用されるのは、カメラ付きドアホンとの通話の際だけであり、在宅時の来客通知以外の用途に流用できるようには構成されていなかったが、家庭内でも、離れた場所から特定の部屋を監視する等の目的によりカメラを設置する場合があり、その場合にはインターホン装置とは別に映像伝送装置を設ける必要があった。また、従来のインターホン装置では、不在時の来客に応対することができず、留守中の来客に関して、その訪問に関する記録を残す手段がなかったため、不在時の来客者を知ることができないという問題点があった。
【０００４】
本発明は、上記問題点に鑑みなされたもので、その目的とするところは、監視等の用途にも流用できる、テレビ付きドアホンが伝送する映像以外の、室内で撮像される映像を伴った通話が可能なインターホン装置の構造を提供することにある。
【０００５】
【課題を解決するための手段】
上記目的を達成するため、請求項１記載のインターホン装置は、カメラ付きドアホンと、そのカメラ付きドアホンから伝送される映像を表示するモニタ付きインターホンと、伝送線で接続された前記モニタ付きインターホンと略同様の構成を有する他のモニタ付きインターホンとを備えるインターホン装置において、前記モニタ付きインターホンおよび他のモニタ付きインターホンの両方が、通話する場合に操作される通話釦と、前記モニタ付きインターホンと他のモニタ付きインターホン同士の通話（内線通話）を行う場合に操作される内線釦と、撮像手段と、その撮像手段が撮像した映像を内線釦が押下された場合にマイクによって入力された通話音声信号と多重化して伝送線を介して他のモニタ付きインターホンに伝送する一方で、他のモニタ付きインターホンで内線釦が押下された場合に当該他のモニタ付きインターホンから多重化されて伝送されてくる伝送信号を、映像信号と通話音声信号に分離し、映像信号をモニタに、通話音声信号をスピーカにそれぞれ出力する多重化分離化処理手段とをそれぞれ備えており、
前記モニタ付きインターホンの内線釦が押下されて、前記モニタ付きインターホンで撮像した映像およびマイクに入力された通話音声がそれぞれ他のモニタ付きインターホンのモニタおよびスピーカに出力されている状態で、他のモニタ付きインターホンの通話釦が押下されると、他のモニタ付きインターホンで撮像した映像およびマイクに入力された通話音声がそれぞれ前記モニタ付きインターホンのモニタおよびスピーカに出力され、前記モニタ付きインターホンおよび他のモニタ付きインターホンのあいだでの、映像を伴った双方向通話が可能となることを特徴とする。これにより、モニタ付きインターホンのモニタ機能の活用が図れ、インターホン装置を、部屋間のテレビ電話として使用したり、離れた部屋から寝たきり老人等を監視することにより寝たきり老人等の介護を行なうことが容易となる。
【０００６】
請求項２記載のインターホン装置は、請求項１記載のインターホン装置で、前記モニタ付きインターホンが、留守モードに設定する場合に操作される留守釦と、公衆回線インターフェースとを備えられており、
この前記モニタ付きインターホンと前記他のモニタ付きインターホンと前記カメラ付きドアホンとが接続してなるインターホン装置Ａと、インターホン装置Ａと同様に構成されるインターホン装置Ｂと備え、インターホン装置Ａ、Ｂ同士を双方の公衆回線インターフェース同士を接続するよう公衆回線を介して互いに接続してなるインターホン装置であって、
インターホン装置Ａでは、留守釦を操作されて留守モードに設定された場合に、カメラ付きドアホンからの呼び出しがあれば、前記モニタ付きインターホンは、公衆回線インターフェースを介してインターホン装置Ｂの前記モニタ付きインターホンと接続し、インターホン装置Ｂの前記モニタ付きインターホンと前記他のモニタ付きインターホンとに、インターホン装置Ａから伝送されたドアホン映像及び通話音声を出力するものであり、
この状態で、インターホン装置Ｂの前記モニタ付きインターホンと前記他のモニタ付きインターホンとのどちらかの通話釦が押下されることにより、その通話釦が押下された、インターホン装置Ｂの前記モニタ付きインターホンと前記他のモニタ付きインターホンとのどちらかと、インターホン装置Ａのカメラ付きドアホンとの通話が成立することを特徴とする。
【０００７】
【発明の実施の形態】
図１に基づいて本願発明のインターホン装置の一実施形態について説明する。図で、１は住戸外に取り付けられるカメラ付きドアホンであり、２は伝送線３を介してカメラ付きドアホン１と接続された、住戸内に取り付けられるカメラ・モニタ付きインターホン、４は伝送線５を介してカメラ・モニタ付きインターホン２と接続されたカメラ・モニタ付きインターホンである。
【０００８】
カメラ付きドアホン１は、通話音声を出力するスピーカー５と、通話音声を入力するマイク６と、来客の映像を撮像するカメラ７と、通話を開始する場合に操作される呼出釦８と、マイク６から入力される通話音声信号とカメラ７から入力される映像信号を多重化して伝送線３に出力すると共に、カメラ・モニタ付きインターホン２，４から伝送される多重信号を通話音声信号と映像信号とに分離する多重化分離化処理部９とを備えている。
【０００９】
一方、カメラ・モニタ付きインターホン２，４は、それぞれ、通話音声を出力するスピーカ１０，１１と、通話音声を入力するマイク１２，１３と、映像を表示するモニタ１４，１５と、カメラ１６，１７と、通話する場合に操作される通話釦１８，１９と、カメラ・モニタ付きインターホン２，４同士の通話（内線通話）を行う場合に操作される内線釦２０，２１と、マイク１２，１３から入力される通話音声信号と、カメラ１６，１７から入力される映像信号を多重化して伝送線３に出力すると共に、入力した多重信号を映像信号と通話音声信号とに分離する多重化分離化処理部９とを備えている。
【００１０】
次に、図１に示したインターホン装置の動作について説明する。図中、カメラ・モニタ付きインターホン２の内線釦２０が押下された場合、カメラ・モニタ付きインターホン２のカメラ１６によって撮像された映像信号が、マイク１２によって入力された通話音声信号と多重化分離化処理部９で多重化され、伝送線５を介してカメラモニタ付きインターホン４に伝送される。カメラ・モニタ付きインターホン４では、多重化されている伝送信号を、多重化分離化処理部９で映像信号と通話音声信号に分離し、それぞれ、モニタ１５、スピーカ１１に出力する。この状態でカメラ・モニタ付きインターホン４の通話釦１９が押下された場合には、カメラ１７によって撮像された映像信号、及び、マイク１３によって入力された通話音声信号が多重化されてカメラ・モニタ付きインターホン２に伝送され、カメラ・モニタ付きインターホン２，４間の、映像を伴った双方向通話が成立する。
【００１１】
次に、図２に基づいて本願発明のインターホン装置の異なる実施形態について説明する。図２に示す実施形態は、図１に示したインターホン装置と同様のインターホン装置Ａ，Ｂ同士を公衆回線を介して互いに接続したものであるため、図１に示した構成と同等構成については、同符号を付すこととし詳細な説明を省略する。但し、インターホン装置Ａ，Ｂには、さらに、留守モードに設定する場合に操作される留守釦２２，２３と、公衆回線インターフェース２４，２５が備えられている。
【００１２】
図２に示した実施形態の動作について説明する。まず、インターホン装置Ａに設けられたカメラ・モニタ付きインターホン２の留守釦２２を押下し、インターホン装置Ａを留守モードに移行させる。この状態で、呼出釦８に対する操作があった場合、つまり、カメラ付きドアホン１からの呼び出しがあった場合、インターホンシステムＢに転送されるように転送先を設定し、留守モードに状態を保持しておく。
【００１３】
以上に説明した留守モードの状態で、インターホンシステムＡに備えられたカメラ付きドアホン１の呼出釦８が押下された場合、インターホンシステムＡに備えられたカメラ・モニタ付きインターホン２は、公衆回線インターフェース部２４，２５を介してインターホン装置Ｂに備えられたカメラ・モニタ付きインターホン２に接続し、インターホンシステムＢに備えられたカメラ・モニタ付きインターホン２，４に、インターホン装置Ａから伝送されたドアホン映像及び通話音声を出力する。この状態で、インターホン装置Ｂに備えられたカメラ付きインターホン２，４のどちらかの通話釦１８，１９が押下されることにより、インターホン装置Ａに設けられたカメラ付きドアホン１との通話が成立する。
【００１４】
【発明の効果】
以上に説明したように、請求項１記載のインターホン装置では、内線通話時に双方向の映像付きの通話が可能となることで、寝たきり老人や、病人がいる家庭等では、常に傍に付き添う必要がなく、時々、インターホン装置を通じて映像を伴った通話を行うことにより、または、映像のみの監視を行うことにより、相手の様子を容易に把握できるので、従来のインターホン装置に比べて介護の負担を低減することが可能になった。
【００１５】
請求項２では、２世帯住宅や近所の親類の家等に転送先を設定することで、外出時の来客に対応してもらうことが可能である。また、異なるインターホン装置間の映像付き双方向通話も実現でき、遠隔地の親類間で孫の成長等を映像信号と共に通信することが可能となった。
【図面の簡単な説明】
【図１】本願発明のインターホン装置の一実施形態の構成を示すブロック図である。
【図２】本願発明のインターホン装置の異なる実施形態の構成を示すブロック図である。
【符号の説明】
１            カメラ付きドアホン
２，４        カメラ・モニタ付きインターホン（モニタ付きインターホン）１６，１７    カメラ（撮像手段）
【図１】
0004169379.tif 000002
【図２】
0004169379.tif 000003